(57)【要約】【課題】  画像の種類に応じて最適な画像形成条件が選択される画像形成装置を提供する。【解決手段】  画像モード選択手段２において画像読取手段５０によって読み取った画像情報に基づく画像モード（第１画像モード、第２画像モード、又は第３画像モード）の選択が行われ、かつ第１出力開始指示手段４１によって画像形成動作の開始が指示されると、制御手段２０は定着制御手段２１に各画像モードに対応する定着条件の設定を要求する。また、制御手段２０は、用紙搬送制御手段２２に対し各画像モードに対応する用紙の選択及び搬送を要求する。さらに、制御手段２０は、作像手段４において使用するトナーを選択する。以上により、ユーザが画像形成条件の変更を行わずに、常に最適な画像形成条件で画像を出力することができる。【選択図】  図１
2005345827.tif 000002
【特許請求の範囲】
【請求項１】
帯電させた像担持体上に潜像を形成する露光手段と、前記像担持体上に形成された前記潜像を現像して可視化する現像手段と、前記現像手段によって可視化された可視像を転写媒体に転写する転写手段と、前記可視像を前記転写媒体に定着させる定着手段と、複数の給紙トレイから前記転写媒体を搬送する搬送手段とを有する画像形成装置において、
印刷対象の画像を読み取り画像データを生成する画像読取手段と、
前記読取手段によって生成された前記画像データに基づき低光沢な画像の出力に適する第１画像モード、高光沢な画像の出力に適する第２画像モード、及び、前記画像データが前記第１画像モード及び第２画像モードのいずれにも属さない第３画像モードのいずれか１つの画像モードを選択する画像モード選択手段と、
前記画像モード選択手段によって前記第３画像モードが選択されたとき、ユーザが前記第１画像モード又は前記第２画像モードを選択するための画像モード入力手段と、
前記ユーザが前記画像データの出力の開始を指示する出力開始指示手段と、
前記画像モード選択手段によって選択された前記画像モード又は前記画像モード入力手段によって選択された前記画像モードに対応する画像形成条件を設定する制御手段とを有することを特徴とする画像形成装置。
【請求項２】
前記画像モード選択手段は、
前記画像データが黒の文字のみからなるとき、前記第１画像モードを選択し、
前記画像データが図形又は写真を有するとき、前記第２画像モードを選択することを特徴とする請求項１記載の画像形成装置。
【請求項３】
前記制御手段は、
前記第１画像モードに応じて画像形成を行うとき、入射角６０度で一次色のソリッド画像に可視光を入射させた場合の光沢度が７％以下になるように前記画像形成条件を設定し、
前記第２画像モードに応じて画像形成を行うとき、入射角６０度で二次色以上のソリッド画像に可視光を入射させた場合の光沢度が１０％以上２０％以下になるように前記画像形成条件を設定することを特徴とする請求項１又は２記載の画像形成装置。
【請求項４】
前記制御手段は、
前記第１画像モードに応じて画像形成を行うとき、入射角６０度一次色のソリッド画像に可視光を入射させた場合の光沢度と前記転写媒体の光沢度との差が３％以内になるように前記画像形成条件を設定し、
前記第２画像モードに応じて画像形成を行うとき、入射角６０度二次色のソリッド画像に可視光を入射させた場合の光沢度と前記転写媒体の光沢度との差が１０％以内になるように前記画像形成条件を設定することを特徴とする請求項１から３のいずれか１項記載の画像形成装置。
【請求項５】
前記制御手段は、前記画像モード選択手段によって選択された前記画像モード又は前記画像モード入力手段によって入力された前記画像モードに応じて前記定着手段における定着条件を設定することを特徴とする請求項１から４のいずれか１項記載の画像形成装置。
【請求項６】
前記各給紙トレイに充填されている前記転写媒体の種類を特定する転写媒体判別手段を有し、
前記搬送手段は、前記制御手段によって選択された前記給紙トレイから前記転写媒体を搬送することを特徴とする請求項１から５のいずれか１項記載の画像形成装置。
【請求項７】
前記制御手段は、
前記画像モード選択手段によって前記第１画像モードが選択されたとき又は前記画像モード入力手段によって前記第１画像モードが入力されたとき、低光沢の前記転写媒体が充填されている前記給紙トレイを選択し、
前記画像モード選択手段によって前記第２画像モードが選択されたとき又は、前記画像モード入力手段によって前記第２画像モードが入力されたとき、高光沢の前記転写媒体が充填されている前記給紙トレイを選択することを特徴とする請求項６記載の画像形成装置。
【請求項８】
前記制御手段によって選択された前記給紙トレイに前記転写媒体が充填されていないとき、前記画像形成動作を中止することを特徴とする請求項６又は７記載の画像形成装置。
【請求項９】
前記現像手段は、高光沢トナー及び低光沢トナーを有し、
前記制御手段は、前記画像モード選択手段によって選択された前記画像モード又は前記画像モード入力手段によって入力された前記画像モードに基づいて前記高光沢トナー又は前記低光沢トナーを選択することを特徴とする請求項１から８のいずれか1項記載の画像形成装置。
【請求項１０】
前記制御手段は、
前記第１画像モードで画像形成を行うとき、前記低光沢トナーを選択し、
前記第２画像モードで画像形成を行うとき、前記高光沢トナーを選択することを特徴とする請求項９記載の画像形成装置。
【発明の詳細な説明】
【技術分野】
【０００１】
本発明は、電子写真方法又は静電記録方法によって白黒画像又はカラー画像を形成する画像形成装置に関し、特に、画像の種類に応じて最適な画像形成条件が選択される画像形成装置に関する。
【背景技術】
【０００２】
被記録媒体の記録面に着色されたトナーやインクを付着させて画像を記録する電子写真方式等の画像形成装置においては、画質が被記録媒体に依存する。そのため、画像に光沢を付与するか否かを選択可能な画像形成装置においては、ユーザが選択した用紙の種類に応じて画像形成条件を変更する方法が採用されている。なお、先に述べた用紙の種類に応じて画像形成条件を変更する画像形成装置においては、一般的に用紙の厚さに応じて定着条件を変更することで画質を制御している。
【０００３】
特許文献１は、低光沢値から高光沢値までの光沢値を有する画像を、同一の低光沢トナー方式を使用してプリントできる画像形成装置を提案している。また、特許文献１は、高光沢文書と低光沢文書の両方、ならびにこれらの間の光沢範囲を、乾式低光沢トナー方式を使用して高い色域をもたらす電子グラフィック・カラー・レーザ・プリンタで作成する画像形成方法を提案している。具体的には、ユーザが低光沢モードまたは高光沢モードのいずれかを選択することによって、媒体が画像形成装置中へ給送される際の速度、フュード・ローラの温度、被記録媒体の種類、定着条件などを切り換えることで画像の光沢を制御している。
【特許文献１】特開平９−３２９９２８号公報
【発明の開示】
【発明が解決しようとする課題】
【０００４】
しかしながら、上記の発明は以下に述べる問題を有している。
【０００５】
画像に光沢を要求するか否かは、白黒の文字のみによって構成されるデータであるか、カラーの図形や写真を含むデータであるか、印刷目的が推敲用又は提出用か、若しくは印刷に要するコストを判断基準におくかによって決定するべきである。つまり、出力画像に光沢を付与するか否かは、ユーザの好みによって決定されるべきであるが、プレゼンテーション用のデータを出力するときは、高コストであっても光沢が要求される。一方、コストを重要視する場合は、白黒かつ低光沢の画像であってもよい。したがって、画像への光沢の要求をユーザに選択させる特許文献１記載の発明は、ユーザへの利便性を十分考慮したものとは言えない。
【０００６】
そこで、本発明は、データの種類に応じて最適な画像形成条件を自動的に選択し、高い画質の画像を容易に得ることができる画像形成装置を提供することを目的としている。
【課題を解決するための手段】
【０００７】
請求項１記載の発明は、帯電させた像担持体上に潜像を形成する露光手段と、前記像担持体上に形成された前記潜像を現像して可視化する現像手段と、前記現像手段によって可視化された可視像を転写媒体に転写する転写手段と、前記可視像を前記転写媒体に定着させる定着手段と、複数の給紙トレイから前記転写媒体を搬送する搬送手段とを有する画像形成装置において、印刷対象の画像を読み取り画像データを生成する画像読取手段と、前記読取手段によって生成された前記画像データに基づき低光沢な画像の出力に適する第１画像モード、高光沢な画像の出力に適する第２画像モード、及び、前記画像データが前記第１画像モード及び第２画像モードのいずれにも属さない第３画像モードのいずれか１つの画像モードを選択する画像モード選択手段と、前記画像モード選択手段によって前記第３画像モードが選択されたとき、ユーザが前記第１画像モード又は前記第２画像モードを選択するための画像モード入力手段と、前記ユーザが前記画像データの出力の開始を指示する出力開始指示手段と、前記画像モード選択手段によって選択された前記画像モード又は前記画像モード入力手段によって選択された前記画像モードに対応する画像形成条件を設定する制御手段とを有することを特徴とする。
【０００８】
請求項２記載の発明は、請求項１記載の画像形成装置において、前記画像モード選択手段は、前記画像データが黒の文字のみからなるとき、前記第１画像モードを選択し、前記画像データが図形又は写真を有するとき、前記第２画像モードを選択することを特徴とする。
【０００９】
請求項３記載の発明は、請求項１又は２記載の画像形成装置において、前記制御手段は、前記第１画像モードに応じて画像形成を行うとき、入射角６０度で一次色のソリッド画像に可視光を入射させた場合の光沢度が７％以下になるように前記画像形成条件を設定し、前記第２画像モードに応じて画像形成を行うとき、入射角６０度で二次色以上のソリッド画像に可視光を入射させた場合の光沢度が１０％以上２０％以下になるように前記画像形成条件を設定することを特徴とする。
【００１０】
請求項４記載の発明は、請求項１から３のいずれか１項記載の画像形成装置において、前記制御手段は、前記第１画像モードに応じて画像形成を行うとき、入射角６０度一次色のソリッド画像に可視光を入射させた場合の光沢度と前記転写媒体の光沢度との差が３％以内になるように前記画像形成条件を設定し、前記第２画像モードに応じて画像形成を行うとき、入射角６０度二次色のソリッド画像に可視光を入射させた場合の光沢度と前記転写媒体の光沢度との差が１０％以内になるように前記画像形成条件を設定することを特徴とする。
【００１１】
請求項５記載の発明は、請求項１から４のいずれか１項記載の画像形成装置において、前記制御手段は、前記画像モード選択手段によって選択された前記画像モード又は前記画像モード入力手段によって入力された前記画像モードに応じて前記定着手段における定着条件を設定することを特徴とする。
【００１２】
請求項６記載の発明は、請求項１から５のいずれか１項記載の画像形成装置において、前記各給紙トレイに充填されている前記転写媒体の種類を特定する転写媒体判別手段を有し、前記搬送手段は、前記制御手段によって選択された前記給紙トレイから前記転写媒体を搬送することを特徴とする。
【００１３】
請求項７記載の発明は、請求項６記載の画像形成装置において、前記制御手段は、前記画像モード選択手段によって前記第１画像モードが選択されたとき又は前記画像モード入力手段によって前記第１画像モードが入力されたとき、低光沢の前記転写媒体が充填されている前記給紙トレイを選択し、前記画像モード選択手段によって前記第２画像モードが選択されたとき又は、前記画像モード入力手段によって前記第２画像モードが入力されたとき、高光沢の前記転写媒体が充填されている前記給紙トレイを選択することを特徴とする。
【００１４】
請求項８記載の発明は、請求項６又は７記載の画像形成装置において、前記制御手段によって選択された前記給紙トレイに前記転写媒体が充填されていないとき、前記画像形成動作を中止することを特徴とする。
【００１５】
請求項９記載の発明は、請求項１から８のいずれか１項記載の画像形成装置において、前記現像手段は、高光沢トナー及び低光沢トナーを有し、前記制御手段は、前記画像モード選択手段によって選択された前記画像モード又は前記画像モード入力手段によって入力された前記画像モードに基づいて前記高光沢トナー又は前記低光沢トナーを選択することを特徴とする。
【００１６】
請求項１０記載の発明は、請求項９記載の画像形成装置において、前記制御手段は、前記第１画像モードで画像形成を行うとき、前記低光沢トナーを選択し、前記第２画像モードで画像形成を行うとき、前記高光沢トナーを選択することを特徴とする。
【発明の効果】
【００１７】
本発明は、データの種類に応じた用紙の選択、定着条件の制御などによりユーザが期待する画質の画像を容易に得ることができる。具体的には、文字を主体とするデータにおいては、低光沢かつ白黒により画像を出力することができる。一方、プレゼンテーション用のデータを出力する場合は、高光沢かつ再現性に優れた画像を得ることができる。
【発明を実施するための最良の形態】
【００１８】
本発明は、画像読取手段において読み取られた画像情報に基づき画像モード（第１画像モード、第２画像モード、又は第３画像モード）が選択され、かつ出力開始指示手段によって画像形成動作の開始が指示されると、制御手段は定着制御手段に対し各画像モードに対応する定着条件を設定する。また、制御手段は、用紙搬送制御手段に対し各画像モードに対応する用紙の選択及び搬送を要求する。さらに、制御手段は、作像手段において使用するトナーを選択する。以上により、ユーザが画像形成条件の変更を行わずに、常に最適な画像形成条件で画像を出力する。
【実施例】
【００１９】
図１及び図６に本発明を適用した画像形成装置の概略図を示す。本発明を適用した画像形成装置は、操作パネル１、転写ベルト３、転写ベルト３上に縦列配置された各色（Ｃ、Ｍ、Ｙ、Ｂｋ）の作像手段４、定着手段５、給紙トレイ６、手差し給紙トレイ７、用紙情報取得手段８、及び制御手段２０から構成されている。操作パネル１は、第１出力開始指示手段４１、及び第２出力開始指示手段４２を有している。
【００２０】
画像形成装置における主要な動作を図７を用いて説明する。画像モード選択手段２において画像読取手段５０によって読み取った画像情報に基づく画像モード（第１画像モード、第２画像モード、又は第３画像モード）の選択が行われ、かつ第１出力開始指示手段４１によって画像形成動作の開始が指示されると、制御手段２０は定着制御手段２１に各画像モードに対応する定着条件の設定を要求する。また、制御手段２０は、用紙搬送制御手段２２に対し各画像モードに対応する用紙の選択及び搬送を要求する。さらに、制御手段２０は、作像手段４において使用するトナーを選択する。以上により、ユーザが画像形成条件の変更を行わずに、常に最適な画像形成条件で画像を出力することができる。
【００２１】
以下に本発明を適用した画像形成装置において実行される具体的な動作について説明する。
【００２２】
画像モード選択手段２は、図８に示す画像読取手段５０において読み取った画像データ５１の画像情報に基づいて、画像データ５１を出力するために最適な画像モードを選択する。画像読取手段５０は、出力対象の画像データ５１が文字のみから構成されるか、白黒画像か、図形・写真が含まれるかを示す画像情報を検出する。画像情報の検出は、従来からある画像データを認識する技術により行う。なお、画像データの認識は、網点データを生成する画像処理手段において検出された分離情報・カラー情報により実行できる。
【００２３】
画像モード選択手段２は、画像読取手段５０が検出した画像情報に基づき画像モードを選択する。画像データ５１が白黒の文字のみで構成されている場合、画像モード選択手段２は、第１画像モードを選択する。一方、画像データ５１がカラーの文字や図形・写真などを有する場合、第２画像モードを選択する。
【００２４】
画像読取手段５０が画像データ５１から画像情報を検出し、画像モード選択手段２が最適な画像モードを選択することにより、作業の効率化が図られる。従来、画像モードの選択は操作パネル上でユーザの操作により行われていた。しかし、ユーザ自身の操作による画像モードの選択は、操作が複雑なため作業効率の低下を招来する。また、ユーザによる画像モードの選択は保存されるため、次に画像形成装置を利用するユーザは新たに画像モードの選択を行わなければならない。本発明を適用した画像形成装置によれば、ユーザは画像の出力を指示するだけで、自動的に画像モードの選択が行われるため作業効率を向上させる。
【００２５】
なお、本実施例においては、第１画像モードで画像を出力する場合、可視光が入射角６０度で入射されたソリッド画像の一次色の光沢度が７％以下で、かつ用紙の光沢度との差が３％以下になるように画像形成条件が設定される。第１画像モードを単色の文字を主体とする文書を出力するための画像モードとすることで、低光沢な画像が得られ、文字が読みやすくなる。
【００２６】
第２画像モードで画像を出力する場合、可視光が入射角６０度で入射されたソリッド画像の二次色以上の光沢度が１０％以上２０％以下で、かつ用紙の光沢度との差が１０％以内になるように画像形成条件が設定される。第２画像モードをカラーの図形や写真などを含むプレゼンテーション用のデータなどを出力するための画像モードとすることで、高光沢な画像を出力できる。なお、第２画像モードで画像を出力する場合、第１画像モードと比較し、定着温度を高くするか、若しくは定着速度を遅くすることで光沢度を向上させることができる。または、定着温度を高くすると同時に定着速度を遅くすることで光沢度を向上させる。
【００２７】
次に、画像モード選択手段２において画像モードの選択が行われた後、制御手段２０が実行する定着手段２１、用紙搬送制御手段２２、及び作像手段４における画像形成条件の設定について説明する。
【００２８】
画像モード選択手段２において画像モードが選択されると、制御手段２０は画像モードに応じて定着条件（定着温度、定着速度）を決定し、定着手段５の動作を制御する定着制御手段２１に対して定着温度及び定着速度の設定を要求する。さらに、制御手段２０は、用紙搬送制御手段２２に対して用紙の選択及び搬送を要求する。用紙搬送制御手段２２は、用紙判別手段８Ａ又は用紙判別手段８Ｂを参照して給紙トレイ６Ａ又は給紙トレイ６Ｂから用紙ＰＡ又は用紙ＰＢを取り出し、搬送経路へ送出する。
【００２９】
以下に各給紙トレイ６に備えられた用紙判別手段８Ａ及び用紙判別手段８Ｂの動作について説明する。制御手段２０は、定着制御手段２１に対する定着条件の設定の要求と同時に、用紙搬送制御手段２２に対し画像モードに対応する用紙の選択を要求する。用紙搬送制御手段２２は、各給紙トレイが有する用紙判別手段によって検出された用紙の種類に応じて画像形成に用いる用紙が充填されている給紙トレイを選択する。
【００３０】
用紙判別手段８Ａ及び用紙判別手段８Ｂの概略図を図５に示す。本発明を適用した画像形成装置における用紙判別手段８Ａ及び用紙判別手段８Ｂは、ダイヤル３０により２種類の用紙の種類を区別可能な構成となっている。用紙判別手段８Ａ及び用紙判別手段８Ｂは、少なくとも普通紙と光沢紙とを判別するものとし、裏紙、色紙などの他の属性も判別するものとしてもよい。ユーザが、給紙トレイ６に用紙を充填する際に該用紙が該当する種類にダイヤル３０を設定しておくことで、用紙搬送制御手段２２は給紙トレイ６Ａ及び給紙トレイ６Ｂに充填されている用紙の種類を特定することができる。なお、用紙判別手段８Ａ及び用紙判別手段８Ｂは、２種類以上の用紙の種類を区別できる構成としてもよい。ダイヤル３０の設定位置は、電気的な接点を介して読み取るもの、光学的に読み取るものなどによって検出する。
【００３１】
用紙搬送制御手段２２は、給紙トレイ６Ａ及び給紙トレイ６Ｂの用紙の種類を判別する用紙判別手段８Ａ及び用紙判別手段８Ｂが検出した給紙トレイ６Ａ及び給紙トレイ６Ｂに充填されている用紙の種類に基づいて、画像モードに対応する用紙が充填されている給紙トレイ６Ａ又は給紙トレイ６Ｂから用紙の搬送を開始する。該画像モードに対応する用紙が供給されている給紙トレイがない場合、又は給紙トレイの用紙が充填されていない場合は、画像形成動作を一時的に中止する。なお、手差し給紙トレイ７に用紙が充填された場合、用紙搬送制御手段２２は、光沢紙が供給されたものと判断する。よって、用紙搬送制御手段２２は、第２画像モードに対応する画像形成条件下で画像形成動作を実行する際、手差し給紙トレイ７から用紙を搬送できる。
【００３２】
よって、本発明によれば用紙表面の光沢度を光学的に検出してから画像モードに対応する用紙を供給する従来の画像形成装置と比較し、画像モードに対応する最適な用紙の選択を容易に実行することができる。また、本発明によれば画像モードに対応する用紙の適合・不適合が自動的に判断されるため、画像形成装置の利便性が向上する。
【００３３】
上述したように、本実施例の画像形成装置においては、画像モード選択手段２において第１画像モードが選択された場合、用紙搬送制御手段２２は塗工液の塗布等による用紙表面への加工が施されず用紙の繊維構造が露出した普通紙が充填された給紙トレイ６から用紙が搬送される。一方、第２画像モードが選択された場合、塗工液の塗布又はカレンダリングにより表面が平坦化され光沢を有する光沢紙が給紙トレイ６から選択・搬送される。
【００３４】
画像モード選択手段２において第３画像モードが選択された場合、ユーザは出力画像の用途又は種類に応じて第１出力開始指示手段又は第２出力開始指示手段を押下し、希望の画質の画像を出力する。なお、第３画像モードが選択され、かつ第１出力開始指示手段４１が押下された場合、第１画像モードと同じ条件で画像形成動作が実行される。一方、第３画像モードが選択され、かつ第２出力開始指示手段４２が押下された場合、第２画像モードと同じ条件で画像形成動作が実行される。
【００３５】
給紙トレイ６に画像モード選択手段２において選択された画像モードに対応する用紙が充填されていないときは、画像形成動作を一時的に中止し、該画像モードに対応する用紙が充填されていない旨を操作パネル１が有するディスプレイ２に表示する。
【００３６】
本実施例の画像形成装置は、画像形成動作開始の指示手段（第１出力開始指示手段４１及び第２出力開始指示手段４２）を複数有するため、ユーザが誤って意図しない指示手段を押下することが考えられる。特に、第２画像モードにおいては、普通紙と比較してコストが高い光沢紙が用いられ、かつ用紙へ画像を定着させるためのエネルギー消費量も第１画像モードよりも多い。よって、第２画像モードの誤った選択は、画像形成装置のランニングコストを増大させる。
【００３７】
そこで、画像モード選択手段２において第２画像モードが選択され、かつ第１出力開始指示手段４１が押下された場合、又は画像モード選択手段２において第３画像モードが選択され、かつ第２出力開始指示手段４２が押下された場合は、各指示手段を所定時間内に２度押下した場合のみ画像形成動作を開始すること等により誤った画像モードの選択又は誤った指示手段の押下によるランニングコストの増大を防止する。さらに、図６に示すように第１出力開始指示手段４１及び第２出力開始指示手段４２には、出力画像の用途・仕上がり状態などを明記し、ユーザによる誤った操作を防止する。
【００３８】
次に、各色（Ｃ、Ｍ、Ｙ、Ｂｋ）の作像手段４において実行される動作について図２から図４を用いて説明する。画像モード選択手段２によって画像モードが選択されると、制御手段２０は定着制御手段２１に対する定着条件の変更要求と同時に、以下に述べる作像手段４における画像モードに対応するトナーの選択を実行する。
【００３９】
各色の作像手段４は、それぞれ像担持体１０を有し独立した一対の作像手段となっている。また、各色の作像手段４は、同一色の低光沢トナーと高光沢トナーを供給する現像手段１２Ａ及び現像手段１２Ｂを有する構成とすることができる。例えば、現像手段１２Ａには、低光沢トナーとして一般に光沢が現れにくい重合トナーを充填し、現像手段１２Ｂには高光沢トナーとして光沢が現れやすい粉砕トナーを用いる。そして、画像形成を実行する際、ユーザが第１画像モードを選択した場合は、現像手段１２Ａによって像担持体１０上にトナー像を形成する。一方、ユーザが第２画像モードを選択した場合は、現像手段１２Ｂによって像担持体１０上にトナー像を形成する。像担持体１０上に形成されたトナー像は、転写ベルト３上に転写される。
【００４０】
各色の作像手段４に同一色の低光沢トナーと高光沢トナーの両方を有する現像手段１２Ａ及び１２Ｂを設けることで、定着手段５における定着条件の変更によらずに出力画像の光沢度を制御することもできる。例えば、定着手段５における定着条件（例えば、定着温度、定着速度）の設定によって光沢度を制御することができない場合であっても、利用するトナーを変更することで画像の光沢度を制御することができる。
【００４１】
したがって、上記の構成によれば同一の定着条件で異なる光沢度の画像を出力することができるため、出力する画像の光沢度の制御がデータに含まれるページ毎に高速に可能となる。さらには、同一ページ内において文字から構成される文字領域と図形・写真から構成される図面領域とを分離し、文字領域においては低光沢トナー、図面領域においては高光沢トナーを用い、同一ページ内における光沢度の制御も可能となる。
【００４２】
なお、図３に示す作像手段４においては全ての色について現像手段１２Ａ及び現像手段１２Ｂを有する構成となっているが、図４に示すように一色（例えば、Ｂｋ）についてのみ現像手段１２Ａ及び現像手段１２Ｂを有する構成とすることも可能である。
【図面の簡単な説明】
【００４３】
【図１】本発明を適用した画像形成装置の概略を示す図である。
【図２】本発明を適用した画像形成装置の作像手段の概略を示す図である。
【図３】本発明を適用した画像形成装置の作像手段の概略を示す図である。
【図４】本発明を適用した画像形成装置の作像手段の概略を示す図である。
【図５】本発明を適用した画像形成装置の用紙判別手段の概略を示す図である。
【図６】本発明を適用した画像形成装置の出力開始手段の概略を示す図である。
【図７】本発明を適用した画像形成装置の制御部のブロック図である。
【図８】本発明を適用した画像形成装置の制御部のブロック図である。
【符号の説明】
【００４４】
１    操作パネル
２    画像モード選択手段
３    中間転写ベルト
４    作像手段
５    定着手段
６Ａ、６Ｂ    給紙トレイ
７    手差し給紙トレイ
８    用紙判別手段
１０    像担持体
１１、１２Ａ、１２Ｂ    現像手段
２０    制御手段
２１    定着制御手段
２２    用紙搬送制御手段
３０    ダイヤル
４１    第１出力開始指示手段
４２    第２出力開始指示手段
５０    画像読取手段
５１    画像データ
【図１】
2005345827.tif 000003
【図２】
2005345827.tif 000004
【図３】
2005345827.tif 000005
【図４】
2005345827.tif 000006
【図５】
2005345827.tif 000007
【図６】
2005345827.tif 000008
【図７】
2005345827.tif 000009
【図８】
2005345827.tif 000010